(57)【特許請求の範囲】
【請求項１】
異なる色の色光を発する第１、第２および第３のサブピクセルが、少なくとも所定の循環配列方向に、所定の表示画素ピッチ内で３色が一巡するように循環的に配列された表示画面を有し、該表示画面上に画像を表示する画像表示装置において、
前記循環配列方向について前記表示画素ピッチよりも狭いデータ画素ピッチでデータ点を配列したときの各データ点に各画素データが対応づけられてなる画像データを各サブピクセルに対応する各サブピクセルデータに変換するデータ変換部と、
前記データ変換部で変換された後の各サブピクセルデータに基づいて、前記表示画面上に配列された各サブピクセルの色光を制御することにより、該表示画面上に画像を表示させる表示制御部とを備え、
前記データ変換部が、前記表示画面に前記データ点の配列を各データ点が各サブピクセルの中心と前記循環配列方向にずれるように重ねた状態における、１つのサブピクセルの中心から前記循環配列方向両側に広がる所定領域内に存在する複数のデータ点に対応づけられた複数の画素データのうちの該１つのサブピクセルの色光に対応した複数の色データを、該１つのサブピクセルの中心と各データ点との間の距離に応じた重みを付して統合することにより、該１つのサブピクセルに対応するサブピクセルデータを生成する演算を、各サブピクセルそれぞれについて行なうものであることを特徴とする画像表示装置。
【請求項２】
前記所定領域が、１つのサブピクセルの中心から前記循環配列方向両側にそれぞれ１表示画素ピッチ分ずつ広がる領域であることを特徴とする請求項１記載の画像表示装置。
【請求項３】
前記循環配列方向について、前記表示画素ピッチをＰo、１表示画素ピッチ内のサブピクセル数をｎ、前記データ画素ピッチをＰdとしたとき、
Ｐd＝｛（ｎ−ｉ）／ｎ｝・Ｐo
（但し、ｉは、１以上ｎ未満の整数）
であることを特徴とする請求項１記載の画像表示装置。
【請求項４】
前記サブピクセル数ｎがｎ＝３、前記整数ｉがｉ＝１であって、前記データ画素ピッチＰdが、
Ｐd＝（２／３）・Ｐo
であることを特徴とする請求項３記載の画像表示装置。
【請求項５】
異なる色の色光を発する第１、第２および第３のサブピクセルが、少なくとも所定の循環配列方向に、所定の表示画素ピッチ内で３色が一巡するように循環的に配列された表示画面を有し、該表示画面上に画像を表示する画像表示装置において、
前記循環配列方向について前記表示画素ピッチよりも狭いデータ画素ピッチでデータ点を配列したときの各データ点に各画素データが対応づけられてなる画像データを各サブピクセルに対応する各サブピクセルデータに変換するデータ変換部と、
前記データ変換部で変換された後の各サブピクセルデータに基づいて、前記表示画面上に配列された各サブピクセルの色光を制御することにより、該表示画面上に画像を表示させる表示制御部とを備え、
前記データ変換部が、前記表示画面に前記データ点の配列を各データ点が各サブピクセルの中心と前記循環配列方向にずれるように重ねた状態における、１つのサブピクセルの中心から前記循環配列方向両側に広がる所定領域内に存在する複数のデータ点に対応づけられた複数の画素データを、該１つのサブピクセルの中心と各データ点との間の距離に応じた重みを付して統合することにより、該１つのサブピクセルに対応する１つの仮想画素に対応する仮想画素データを生成する演算を各サブピクセルに対応する各仮想画素それぞれについて行なうとともに、該１つのサブピクセルに対応する仮想画素を含む該仮想画素周辺の仮想画素に対応する複数の仮想画素データのうちの該１つのサブピクセルの色光に対応した複数の色データを統合することにより、該１つのサブピクセルに対応するサブピクセルデータを生成する演算を各サブピクセルそれぞれについて行なうものであることを特徴とする画像表示装置。
【請求項６】
異なる色の色光を発する第１、第２および第３のサブピクセルが、少なくとも所定の循環配列方向に、所定の表示画素ピッチ内で３色が一巡するように循環的に配列された表示画面上に画像を表示する画像表示方法において、
前記循環配列方向について前記表示画素ピッチよりも狭いデータ画素ピッチでデータ点を配列したときのデータ点の配列を、各データ点が各サブピクセルの中心と前記循環配列方向にずれるように前記表示画面に重ねた状態における、１つのサブピクセルの中心から前記循環配列方向両側に広がる所定領域内に存在する複数のデータ点に対応づけられた複数の画素データのうちの該１つのサブピクセルの色光に対応した複数の色データを、該１つのサブピクセルの中心と各データ点との間の距離に応じた重みを付して統合することにより、該１つのサブピクセルに対応するサブピクセルデータを生成する演算を、各サブピクセルそれぞれについて行ない、
前記演算により生成された各サブピクセルデータに基づいて、前記表示画面上に配列された各サブピクセルの色光を制御することにより、該表示画面上に画像を表示させることを特徴とする画像表示方法。
【発明の詳細な説明】
【技術分野】
【０００１】
本発明は、各色の色光を発するサブピクセルが、少なくとも所定の循環配列方向に、所定の表示画素ピッチ内で一巡するように循環的に配列された表示画面を有し、その表示画面上に画像を表示する画像表示装置に関する。
【背景技術】
【０００２】
近年、高精細な画像を表示する表示媒体の１つとしてプラズマディスプレイパネル（ＰＤＰ）が注目されている。ＰＤＰは、パネル自体の厚さは１ｃｍ程度であって超薄型化が可能であり、さらに大画面、高画質の画像を表示することができ、さらに、二次元的に配列された多数の表示画素について同時に駆動されるため明るい画像を表示することができる。【０００３】
ＰＤＰは、典型的には、Ｒ（赤）、Ｇ（緑）、Ｂ（青）の各色光を発するサブピクセルが、所定の方向（ここではこの方向を「循環配列方向」と称する）に１表示画素ピッチ内で一巡するように循環的に配列されており、さらにそのような循環的な配列が循環配列方向に対し直交する方向に多数並び、全体としてそのようなサブピクセルの組からなる表示画素が二次元的に多数配列されており、それら多数の表示画素を構成する多数のサブピクセルの発光輝度を制御することにより、そのＰＤＰ上にカラー画像を表示する構成となっている。【０００４】
ここで、従来より、１つの表示画素が循環配列方向に並ぶ複数のサブピクセルで構成されていることを利用し、その循環配列方向について、表示画素ピッチにより決定される解像度よりも高い解像度の画像を表示する技術が提案されている（非特許文献１参照）。【０００５】
図１は、入力データの画素ピッチ（ここではこれを「データ画素ピッチ」と称する）が表示画素ピッチよりも細かい入力データ、すなわち表示画素ピッチにより決定される解像度よりも高い解像度を持つ入力データをＰＤＰ上に表示する手法の説明図である。【０００６】
ここでは、１つの表示画素は、循環配列方向に並ぶＲ（赤）、Ｇ（緑）、Ｂ（青）のそれぞれの色光を発する３つのサブピクセルで構成されており、入力データは、それら３つのサブピクセルからなる表示画素のピッチ（表示画素ピッチ）の２／３の間隔を持つデータ画素ピッチを有するものとする。この入力データは、データ画素ピッチで配列された個々のデータ点それぞれにＲ（赤）、Ｇ（緑）、Ｂ（青）の３色分の色データが含まれている入力データである。【０００７】
ここでは、データ画素ピッチは表示画素ピッチの２／３の間隔を有するので、各データ点が１つおきのサブピクセルに重なるように配置する。こうしておいて、入力データ点と重なったサブピクセル、例えば図示のサブピクセルＳiについては、データ点Ｉjのデータを構成するＲ，Ｇ，Ｂの３つの色データのうちのそのサブピクセルＳiの色光と合致した色データ（ここではＧの色データ）をそのまま採用してそのサブピクセルのデータとし、隣接する２つの入力データ点の中間のサブピクセル、例えば、サブピクセルＳi+1については、そのサブピクセルＳi+1の両側のデータ点Ｉj，Ｉj+1それぞれに対応するＲ，Ｇ，Ｂの３つの色データのうちのそのサブピクセルＳi+1の色光と合致した色データ（ここではＢの色データ）を１／２ずつ重み付け加算してそのサブピクセルＳi+1のデータとする。このような演算により、表示画素ピッチよりも細かいデータ画素ピッチのデータを各サブピクセルに当て嵌め、循環配列方向について、表示画素ピッチにより決定される解像度よりも高い解像度の画像を表示することができる。
【非特許文献１】Ｍｉｃｈｉｅｌ  Ａ  Ｋｌｏｍｐｅｎｈｏｕｗｅｒ，Ｇｅｒａｄ  ｄｅ  Ｈａａｎ  ａｎｄ  Ｒｏｂ  Ａ．Ｂｅｕｋｅｒ  “Ｓｕｂｐｉｘｅｌ  Ｉｍａｇｅ  Ｓｃａｌｉｎｇ  ｆｏｒ  Ｃｏｌｏｒ  Ｍａｔｒｉｘ  Ｄｉｓｐｌａｙｓ”，ＳＩＤ  ２００２  ＤＩＧＥＳＴ，ｐｐ．１７６−１７９
【発明の開示】
【発明が解決しようとする課題】
【０００８】
図２は、図１を参照して説明した手法の問題点の説明図である。【０００９】
ここでは、入力データは、図１の場合と同じく表示画素ピッチの２／３の間隔のデータ画素ピッチを持つデータであって、白（Ｒ，Ｇ，Ｂともに最高値（例えばデータ値２５５））と黒（Ｒ，Ｇ，Ｂともに最低値（例えばデータ値０））が交互に繰返しているものとする。【００１０】
このとき、黒のデータ点に対応するサブピクセルはそのサブピクセルがどの色光を発するサブピクセルであってもデータ値０であるため発光されず黒（Ｋ）が表現されるが、白のデータ点に対応するサブピクセルは、そのサブピクセルが発する色光に応じ、例えばＧの色光を発するサブピクセルの場合はそのサブピクセルに対応するデータ点の白のデータ（Ｒ，Ｇ，Ｂともに例えばデータ値２５５）のうちのＧのデータ（データ値２５５）が適用されてＧで発光し、これと同様に、白のデータ点に対応するサブピクセルがＲ，Ｂの色光を発するサブピクセルであったときは、それぞれの白のうちのＲ、Ｂの各データが適用されてそれぞれＲ、Ｂで発光することになる。このため、本来は白と黒の繰り返しパターンであるにもかかわらず、表示された画像には色が表われ、しかもＲ，Ｇ，Ｂの色が循環的に繰り返されたパターンの画像が表示されることになることがわかった。【００１１】
ここでは、分かり易い例として無彩色（白と黒）の繰り返しパターンについて説明したが、有彩色のパターンについても同様に表示画面上の色がデータ上の色と異なってしまう結果となることがわかった。【００１２】
本発明は、上記事情に鑑み、表示画素ピッチから決定される解像度よりも高い解像度を持つ画像データに基づく画像を、その画像データにより表現される色からの色差を抑えた上で表示する画像表示装置を提供することを目的とする。
【課題を解決するための手段】
【００１３】
上記目的を達成する本発明の画像表示装置は、各色の色光を発するサブピクセルが、少なくとも所定の循環配列方向に、所定の表示画素ピッチ内で一巡するように循環的に配列された表示画面を有し、その表示画面上に画像を表示する画像表示装置において、
上記循環配列方向について表示画素ピッチよりも狭いデータ画素ピッチでデータ点を配列したときの各データ点に各画素データが対応づけられてなる画像データを各サブピクセルに対応する各サブピクセルデータに変換するデータ変換部と、
データ変換部で変換された後の各サブピクセルデータに基づいて、表示画面上に配列された各サブピクセルの色光を制御することにより、表示画面上に画像を表示させる表示制御部とを備え、
上記データ変換部が、表示画面上に、データ点の配列を、各データ点が表示画面上の各サブピクセルの中心とは循環配列方向にずれた位置に重ねた状態における、１つのサブピクセルの中心から循環配列方向両側に広がる所定領域内に存在する複数のデータ点に対応づけられた複数の画素データを構成する、１つのサブピクセルの色光に対応した複数の色データを、その１つのサブピクセルの中心と各データ点との間の距離に応じた重みを付して統合することにより、その１つのサブピクセルに対応するサブピクセルデータを生成する演算を、各サブピクセルそれぞれについて行なうものであることを特徴とする。【００１４】
本発明の画像表示装置では、データ点の配列を、各データ点が各サブピクセルの中心とは重ならないようにずれた位置に重ねたことに相当する重み付け演算により各サブピクセルに対応するデータを算出するものであり、こうすることにより、表示画面上に、表示画素ピッチにより決定される解像度よりも高い解像度を持つ画像が、従来よりも画像データ上の色に近似した色で表示される。【００１５】
ここで、上記本発明の画像表示装置において、上記所定領域が、１つのサブピクセルの中心から循環配列方向両側にそれぞれ１表示画素ピッチ分ずつ広がる領域であってもよい。【００１６】
領域を広げ過ぎると高空間周波数成分が低減しかえって解像度が下がるおそれがあり、また、演算にも時間がかかる結果となり、上記のように、両側にそれぞれ１表示画素ピッチ分ずつ広がる領域を採用するのが好ましい。【００１７】
また、上記本発明の画像表示装置において、循環配列方向について、表示画素ピッチをＰo、１表示画素ピッチ内のサブピクセル数をｎ、データ画素ピッチをＰdとしたとき、
Ｐd＝｛（ｎ−ｉ）／ｎ｝・Ｐo
但し、ｉは、１以上ｎ未満の整数である。
であってもよい。【００１８】
表示画素ピッチＰoとデータ画素ピッチＰdは、上記のような整理の比で表わされる関係を持つことによって、全てのサブピクセルの中心と全てのデータ点とが不一致となるようにずらして重ねたことに相当する演算を行なうことができる。【００１９】
ここで、上記の式であらわされる関係のうち、サブピクセル数ｎがｎ＝３、整数ｉがｉ＝１であって、データ画素ピッチＰdが、
Ｐd＝（２／３）・Ｐo
であってもよい。【００２０】
表示画素は、通常Ｒ，Ｇ，Ｂの各色光を発する３つのサブピクセルで構成されており、この場合、本発明は、２つのサブピクセル分の長さであるデータ画素ピッチＰd（Ｐd＝（２／３）Ｐo）を持つ画像データを表示するのに好適である。【００２１】
また、上記本発明の画像表示装置は、上記データ変換部に代わり、
循環配列方向について表示画素ピッチよりも狭いデータ画素ピッチでデータ点を配列したときの各データ点に各画素データが対応づけられてなる画像データを各サブピクセルに対応する各サブピクセルデータに変換するデータ変換部であって、
表示画面上に、データ点の配列を、各データ点が表示画面上の各サブピクセルの中心とは循環配列方向にずれた位置に重ねた状態における、１つのサブピクセルの中心から循環配列方向両側に広がる所定領域内に存在する複数のデータ点に対応づけられた複数の画素データを、その１つのサブピクセルの中心と各データ点との間の距離に応じた重みを付して統合することにより、その１つのサブピクセルに対応する１つの仮想画素に対応する仮想画素データを生成する演算を各サブピクセルに対応する各仮想画素それぞれについて行なうとともに、その１つのサブピクセルに対応する仮想画素を含むその仮想画素周辺の仮想画素に対応する複数の仮想画素データを構成する、その１つのサブピクセルの色光に対応した複数の色データを統合することにより、その１つのサブピクセルに対応するサブピクセルデータを生成する演算を各サブピクセルそれぞれについて行なうデータ変換部を備えたものであってもよい。【００２２】
この場合、上記の、ずらして重ねたことに相当する演算に加え、周囲の複数のデータ点の平均化演算が行なわれ、表示画素ピッチにより決定される解像度よりも高い解像度を持つ画像を、データ上の色に一層近似した色で表示することができる。【００２３】
また、上記目的を達成する本発明の画像表示方法は、各色の色光を発するサブピクセルが、少なくとも所定の循環配列方向に、所定の表示画素ピッチ内で一巡するように循環的に配列された表示画面を有し、その表示画面上に画像を表示する画像表示方法において、
上記循環配列方向について表示画素ピッチよりも狭いデータ画素ピッチでデータ点を配列したときの各データ点の配列を、各データ点が表示画面上の各サブピクセルの中心とは循環配列方向にずれた位置に重ねた状態における、１つのサブピクセルの中心から循環配列方向両側に広がる所定領域内に存在する複数のデータ点に対応づけられた複数の画素データを構成する、１つのサブピクセルの色光に対応した複数の色データを、その１つのサブピクセルの中心と各データ点との間の距離に応じた重みを付して統合することにより、その１つのサブピクセルに対応するサブピクセルデータを生成する演算を、各サブピクセルそれぞれについて行ない、
上記演算により生成された各サブピクセルデータに基づいて、表示画面上に配列された各サブピクセルの色光を制御することにより、表示画面上に画像を表示させることを特徴とする。
【発明の効果】
【００２４】
以上説明したように、本発明によれば、循環配列方向について、従来よりもデータ上の色との色差の少ない、表示画素ピッチから定まる解像度よりも高い解像度の画像を表示することができる。
【図面の簡単な説明】
【００２５】
【図１】「データ画素ピッチ」が表示画素ピッチよりも細かい入力データ、すなわち表示画素ピッチにより決定される解像度よりも高い解像度を持つ入力データをＰＤＰ上に表示する手法の説明図である。
【図２】図１を参照して説明した手法の問題点の説明図である。
【図３】本発明の画像表示装置の一実施形態を示すブロック図である。
【図４】ＰＤＰ上のサブピクセルの配列とデータ点の配列を示す図である。
【図５】ずらし量に対する白色からのずれ量の実測結果を示した図である。
【図６】第２実施形態におけるデータ変換アルゴリズムの説明図である。
【図７】第２実施形態のデータ変換アルゴリズムを採用した場合の、ずらし量に対する白色からのずれ量の実測結果を示した図である。
【発明を実施するための最良の形態】
【００２６】
以下図面を参照して本発明の実施の形態を説明する。【００２７】
図３は、本発明の画像表示装置の一実施形態を示すブロック図である。【００２８】
この図３に示す画像表示装置１０には、データ変換回路１１、ドライバ制御回路１２、アドレス電極ドライバ１３、共通電極ドライバ１４、スキャン電極ドライバ１５、およびプラズマディスプレイパネル（ＰＤＰ）１６の各ブロックが示されている。ここで、データ変換回路１１が本発明にいうデータ変換部の一例に相当し、ドライバ制御回路１２、アドレス電極ドライバ１３、共通電極ドライバ１４、およびスキャン電極ドライバ１７の複合が本発明にいう表示制御部の一例に相当し、ＰＤＰ１６が本発明にいう表示画面の一例に相当する。【００２９】
データ変換回路１１は、入力データを表示用のデータに変換する役割りを担っており、そのデータ変換回路１１により得られた表示用のデータはドライバ制御回路１２に入力される。ドライバ制御回路は、３つのドライバ（アドレス電極ドライバ１３、共通電極ドライバ１４、およびスキャン電極ドライバ１７）を制御してＰＤＰ１８上に画像を表示させる役割りを担っている。ＰＤＰ１６は、横方向（本発明にいう循環配列方向の一例）にＲ，Ｇ，Ｂの各サブピクセルが循環的に配列されるとともに、縦方向にその配列からなるラインが多数本配列されており、その二次元的に配列された多数の表示画素（Ｒ，Ｇ，Ｂの３つのサブピクセルにより１つの表示画素が構成されている）からなる表示画面上にカラー画像を表示する。【００３０】
尚、ドライバ制御回路１２により３つのドライバ（アドレス電極ドライバ１３、共通電極ドライバ１４、およびスキャン電極ドライバ１５）を制御してＰＤＰ１６上に画像を表示する構成は従来から知られている技術であり、ここでの主題でもないので、その点に関するこれ以上の説明は省略し、以下では、データ変換回路１１におけるデータ変換アルゴリズムの詳細について説明する。【００３１】
図４は、ＰＤＰ上のサブピクセルの配列とデータ点の配列を示す図である。【００３２】
この図４には、Ｒ，Ｇ，Ｂの各色光を発するサブピクセルが横方向に循環的に配列された１ラインの一部分のサブピクセルの配列が示されている。図３に示すＰＤＰ１６上には横方向についてこの図４に示すようなＲ，Ｇ，Ｂの各サブピクセルの繰り返しが並び、縦方向には、その横方向の１ラインと同じ構成のサブピクセル配列が多数ラインにわたって配列されている。１つの表示画素は、Ｒ，Ｇ，Ｂの３つのサブピクセルから構成されており、データ画素ピッチＰdは表示画素ピッチＰoの（２／３）の長さを有している。【００３３】
この図４は、従来例について説明した図１に対応する図であり、図１との相違点は、入力データ点がサブピクセルの中心から横方向にずれている点である。【００３４】
入力データとサブピクセルに設定するデータとの関係を次に示す。以下に記号の定義を並べる。【００３５】
Ｓi：注目しているサブピクセルに設定するデータ
Ｉj：注目しているサブピクセルに最も近いデータ点のデータ
ｄi：注目しているサブピクセルの中心を基準とした場合の、そのサブピクセルに最も近い入力データ点の位置
Ｐo：表示画素ピッチ
Ｐd：データ画素ピッチ
ｕi：注目しているサブピクセルのデータ計算に使用するデータ点のインデックス下限
ｖi：注目しているサブピクセルのデータ計算に使用するデータ点のインデックス上限
サブピクセルに設定するデータの計算のための、入力データを足し合わせる際の重み関数を以下で定義する。【００３６】
【数１】
0004075998.tif 000002
ここで、ｘは注目しているサブピクセルの中心を基準としたときのデータ点の座標である。また、計算に使用する入力データ点は、注目するサブピクセルよりも、表示画素ピッチ以上は離れない範囲のものとする。【００３７】
この重み関数を使用して、サブピクセルのデータを以下のように設定する。【００３８】
【数２】
0004075998.tif 000003
ここで、各入力データ点には、Ｒ，Ｇ，Ｂの３色の色データが存在するが、サブピクセルに設定するデータを求めるにあたってはその注目しているサブピクセルが発する色光と同一の色のデータを使用する。【００３９】
ここで、上記（２）式を図４に当て嵌めると以下のとおりとなる。【００４０】
【数３】
0004075998.tif 000004
図５は、ずらし量に対する表示色の白色からのずれ量の実測結果を示した図である。【００４１】
ここでは、図４のケース（Ｐd＝（２／３）Ｐo，（３）式）であって、各データ点には図２に示すように交互に白と黒のデータが割り当てられているものとする。【００４２】
横軸の「ずらし量」は、１つのサブピクセルの横方向の寸法（（１／３）・Ｐo）に対する図４に示すずらし量ｄiの比率（ｄi／（（１／３）・Ｐo）＝３ｄi／Ｐo）であり、縦軸の「白色からのずれ量」はΔｕｖ単位での数値を１０００倍したものである。横軸のずらし量０のときが、図１，図２を参照して説明した従来例に相当する。【００４３】
図５から分かるように、データ点とサブピクセルの中心点とをずらして重み付け演算を行なうことにより、色ずれが改善される。【００４４】
次に本発明の画像表示装置の第２実施形態について説明する。【００４５】
この第２実施形態においても、画像表示装置の構成は、第１実施形態における図３のブロック図に示す構成と同一であって、図３に示すデータ変換回路１１におけるデータ変換アルゴリズムのみが異なる。そこで、以下ではこの第２実施形態におけるデータ変換アルゴリズムについて説明する。【００４６】
図６は、第２実施形態におけるデータ変換アルゴリズムの説明図である。【００４７】
ここでは、各サブピクセルに対し１対１に対応した仮想画素を想定する。【００４８】
入力データのデータ点のピッチ（データ画素ピッチ）は、表示画素のピッチの（２／３）倍（すなわち、サブピクセルのピッチおよび仮想画素のピッチの２倍）である。【００４９】
入力データのデータ点は、仮想画素の中心に対しずらし量ｄiだけずれた位置に配置される。【００５０】
仮想画素に当て嵌められるデータの演算にあたっては、上述の（２），（３）式と同一の演算が採用される。ただし、第１実施形態の場合は、（２），（３）式の演算にあたり、注目しているサブピクセルが発する色光に対応する色データのみその演算を行なう旨説明したが、ここでは、Ｒ，Ｇ，Ｂの３色の色データの全てについて（２），（３）式に従う演算を行なう。このようにして各仮想画素に対応するデータ…Ｐi-1，Ｐi，Ｐi+1，…を求め、注目しているサブピクセルのデータの演算にあたっては、サブピクセルに対応する仮想画素を含む周囲の仮想画素（ここでは前後１つずつの仮想画素を含む合計３つの仮想画素）の平均値
Ｓi＝（Ｐi-1＋Ｐi＋Ｐi+1）／３              ……（４）
が求められる。尚、この（４）式の演算にあたっては、その注目しているサブピクセルの色に対応する色データのみ、（４）式に従う演算が行なわれる。【００５１】
尚、ここでは、演算アルゴリズムの説明のために仮想画素の概念を導入したが、実際の演算にあたっては、例えば（３）式に従う演算と（４）式とに従う演算とを分ける必要はなく、それら（３）式と（４）式とを組合せた演算を行なってもよい。【００５２】
図７は、図６を参照して説明した第２実施形態のデータ変換アルゴリズムを採用した場合の、ずらし量に対する白色からのずれ量の実測結果を示した図である。【００５３】
ここでも、図５の場合と同様、各データ点には、図２に示すように、交互に白と黒のデータが割り当てられているものとする。【００５４】
横軸の「ずらし量」は、１つのサブピクセルの横方向の寸法（（１／３）・Ｐo）に対する図６に示すずらし量ｄiの比率（ｄi（（１／３）・Ｐo）＝３ｄi／Ｐo）であり、縦軸の白色からのずれ量はΔｕｖ単位での数値を１０００倍したものである。【００５５】
図７から分かるように、データ点とサブピクセルの中心点とをずらして重み付け演算を行なうと共に、さらに複数の仮想画素の平均演算を行なうことにより、色ずれが一層改善される。【００５６】
尚、ここでは、ＰＤＰを取り上げて説明したが、本発明はＰＤＰに限らず、液晶ディスプレイやＣＲＴディスプレイ等にも広く適用することができる。
【図１】
0004075998.tif 000005
【図２】
0004075998.tif 000006
【図３】
0004075998.tif 000007
【図４】
0004075998.tif 000008
【図５】
0004075998.tif 000009
【図６】
0004075998.tif 000010
【図７】
0004075998.tif 000011